(57)【要約】【課題】    使い捨ての携帯用排尿袋について、局部と直接接触して排尿のガイドを確実に行う口部材を備えつつも、使用後、別途のゴミ袋などを用意することなく、当該口部材を上記袋体と一体に纏めて取り扱えるものを提供する。【解決手段】  本願発明に係る使い捨て携帯用排尿袋は、袋体１と、当該袋体１の開口部の内周側に配された筒状の口部材３と、開口部の外周側に取り付けられる環状の紐部材４とを備える。紐部材４の内径は、指先で押し広げることにより口部材の外径より大きくすることが可能な伸縮性を有する。口部材３は、袋体１の開口部縁を当該口部材３と環状部材４とにて挟むことにより、袋体１の上記開口部に内周に取り付けられたものである。紐部材４を、口部材３よりも上方へずらすことにより、口部材３を袋体１内部へ落とすことが可能なものである。【選択図】          図１
2006296780.tif 000002
【特許請求の範囲】
【請求項１】
上方に開口部を備えたビニール袋等の液密性を有する袋体と、当該袋体の内部に収容され且つ吸水性を有する吸水部材とを備えた使い捨て携帯用排尿袋において、
上記袋体と別体に形成され且つ当該袋体の開口部の内周側に配された筒状の口部材と、袋体の開口部に巻かれる紐部材とを備え、
上記口部材は、上記の紐部材に巻かれることによって、袋体の上記開口部に内周に取り付けられたものであり、
紐部材を外すことにより、上記口部材を袋体内部へ落とすことが可能なものであることを特徴とする使い捨て携帯用排尿袋。
【請求項２】
上記の紐部材は、袋体と別体に形成され且つ袋体の開口部の外周側に取り付けられる環状部材であり、
上記の環状部材の内径は、力が加わらない状態において口部材の外径と同じか口部材の外径より小さく、指先で押し広げることにより口部材の外径より大きくすることが可能な伸縮性を有するものであり、
上記口部材は、袋体の開口部縁を当該口部材と上記環状部材とにて挟むことにより、上記環状部材の伸縮性を利用して、袋体の上記開口部に内周に取り付けられたものであることを特徴とする請求項１記載の使い捨て携帯用排尿袋。
【請求項３】
上記の口部材は、筒状の主要部と、主要部の内側に設けられた筒状の芯部材とを備え、
上記の口部材の主要部は、水にて分解する或いは保水性を有する素材にて形成されたものであり、
上記の袋体は、開口部の外側に折り返された延設部を備え、
上記の延設部は、袋体を閉鎖する閉鎖部を備えたことを特徴とする請求項１又は２記載の使い捨て携帯用排尿袋。
【請求項４】
上記の閉鎖部は、紐状体と、当該紐状体を収容する収容部とを備え、
口部材を袋体内部へ落とした後、折り返されていた上記の延設部を上方へ伸ばして、紐状体を引張ることにより、袋体を巾着状に閉じることが可能なことを特徴とする請求項１乃至３の何れかに記載の使い捨て携帯用排尿袋。
【発明の詳細な説明】
【技術分野】
【０００１】
本願発明は、使い捨て携帯用排尿袋に関するものである。
【背景技術】
【０００２】
【特許文献１】実開昭５７−１２６２２８号公報
【特許文献２】実用新案登録第３０１０８１５号公報
【特許文献３】実開平５−８６２９５号公報
【特許文献４】特開平８−３３５８９号公報
【０００３】
自動車を運転する者にとって、自動車での長距離の移動時や、走行中交通渋滞となった場合、排尿する機会がなくて困る場合がある。このような場合、尿意を我慢することにより、運転者は、運転に対する集中力を欠いたり、体調を壊すことも考えられる。また、このような事態は自動車の運転時に限らず、海上を移動するボートなどでトイレを備えないものに乗船している場合や、小型飛行機を操縦する場合などにおいても、同様である。
勿論、病気で床に伏し身動きできない状態のときに、尿意を催した場合も困るものであるが、尿瓶を用いることによって、床にて用を足すことができる。
しかし、乗用車や上記のボート、軽飛行機に、このような尿瓶を常備するのは、見苦しくもあり、また、狭い空間に、このような嵩張るものを置いておきたくないものである。
【０００４】
このため、従来より、持ち運びが容易で嵩張らない、種々の携帯用の排尿袋が提案されている。その中でも、局部が触れる部分や尿を収容する部分を洗浄したりする煩わしさがないことから、使い捨てのものが、注目されている。
このような使い捨ての携帯用排尿袋として、例えば、特許文献１に見られるものが提案されている。この使い捨て携帯排尿袋は、嵩張らず使い捨てが容易な合成樹脂フィルムで形成された袋体を備えたものであり、この袋体の外部において、袋体の開口部周辺には、袋体と別体に形成された環状突縁片が設けられている。
この環状突縁片は、発泡合成樹脂にて形成されたのである。当該排尿袋の使用に際して、この環状突縁片を、袋体の縁を挟んで身体に弾性的に柔らかく密着させることにより、袋体の開口部からの尿の漏出を防止する。
しかし、特許文献１に示す使い捨て携帯用排尿袋において、環状突縁片は、単に袋体の外部に配置されただけであり、袋体に対して直接固定する方法がなく、使用に際して、手で押さえ袋体に対し適正な位置を保つ必要があり、面倒なものである。特に、このように袋体に対して別体に形成され袋体に対して位置が定まらない環状突縁片では、排尿時局部のガイドを確実に行えるものではない。
【０００５】
一方、排尿時の取り扱い易さの向上を目的として、特許文献２に示す通り、ポリエチレン等の合成樹脂性の袋体に排尿用ホッパ（口部材）を嵌装したものが提案されている。
この排尿用ホッパは、袋体の外部に取り付けられている。即ち、尿を収容する袋体に局部をガイドするホッパが固定され、このホッパにより、排尿の際の局部のガイドを確実に行えるものとなっている。
しかし、その反面、上記のホッパは、直接局部に接触し、また、排尿によって濡れることになる。使用後、このように局部に当ったり尿で濡れた排尿用ホッパを、放置するのは衛生上好ましくなく、廃棄に際して、ゴミ袋等の別途の袋に当該排尿袋を収納して、外部に曝さないようにする必要があった。このような別途のゴミ袋を車内に用意して、使用後一々このようなゴミ袋に上記の排尿袋を収容するのは、煩わしいものである。
【０００６】
また、図３へ示す通り、尿を収容する袋体に固定されて局部をガイドする排尿受け口（口部材）を備えつつも、使用後、局部と接触した部位を内側にして折り畳むことが可能なものが提案されている。
この排尿袋において、使用後、上記受け口は、直接局部に触れる部分は内側に折り畳まれ、また、袋体の、袋体内部と受け口との間に設けらたファスナを閉じることによって、袋体内部を密閉することができる。
しかし、上記の受け口は、ファスナにて閉じられる袋体内部に対して、外側に配置されたものであり、折り畳まれた状態にされると、尿に濡れた当該受け口から尿の雫が垂れる。
従って、上記の折り畳みによって、局部と接触した部位が直接外部に曝されないものの、この特許文献３に示すものにおいても、上記の特許文献２に示すものと同様、使用後廃棄するまでの間車内に追いておくのに、受け口についた尿が垂れないように、別途にゴミ袋を用意し、このようなゴミ袋への収納する必要がある。
【０００７】
また、特許文献４に示す携帯用の排尿袋についても、袋体に、折り畳み可能な開口具（口部材）が設けられ、受け口を形成することができるものである。この開口具は、特許文献１に示すものから更に工夫がなされ、開口具の胴部に設けられた切り込み状の係止部を利用して、袋体に当該開口部を固定することができる。また、この排尿袋では、開口具（口部材）は、袋体の外部に置かれて、局部に直接触れることがないので、使用後、袋体から外しても、特許文献３に示すもののように、開口具に付いた尿が垂れるということがない。
更に、この特許文献４に示す排尿袋では、使用後、開口具を袋体から外して袋体のみ廃棄し、当該開口具の再利用を図るものである。
【０００８】
しかし、局部や尿に直接触れないといっても、一度使用し、局部に触れた手で持った開口具を、何度も再利用するというのは、例え自分が使用したものであっても、気持ちの良いものではない。
従って、再利用は可能であっても、洗浄の手間を採らないのであれば、一、二回使用することによってこのような開口具を廃棄したくなるものである。
その場合、尿を収容した袋体と共にまとめて廃棄するのであれば、別途のゴミ袋を用意して、双方一緒に収容するか、或いは、このようなゴミ袋を要するのが面倒であれば、使用後、開口具を袋体内へ収納するということが考えられる。
このように、開口具を袋体へ収容する場合、使用後袋体から開口具を外すために外側に折り返されていた袋体の口を伸ばして窄め、開口具を外した後、再び、袋体の口を開けて、開口具を袋体の中に投入するという手間をとらねばならない。自動車などの狭い空間で、このような作業を行うのは非常に厄介である。
【発明の開示】
【発明が解決しようとする課題】
【０００９】
本願発明は、使い捨ての携帯用排尿袋について、局部と直接接触して排尿のガイドを確実に行う口部材を備えつつも、使用後、別途のゴミ袋などを用意することなく、当該口部材を上記袋体と一体に纏めて取り扱えるものを提供して、上記の課題の解決を図る。
【課題を解決するための手段】
【００１０】
本願発明は、上方に開口部を備えたビニール袋等の液密性を有する袋体１と、当該袋体１の内部に収容され且つ吸水性を有する吸水部材２とを備えた使い捨て携帯用排尿袋について、次の構成を採るものを提供する。
即ち、上記袋体１と別体に形成され且つ当該袋体１の開口部の内周側に配された筒状の口部材３と、袋体１の開口部に巻かれる紐部材４とを備える。上記口部材３は、上記の紐部材４に巻かれることによって、袋体１の上記開口部に内周に取り付けられたものである。紐部材４を外すことにより、上記口部材３を袋体１内部へ落とすことが可能である。
ここで吸水性とは、自身が水にて分解すること（分解性）、または保水性、或いはその双方をいう。尚、上記の分解とは、水溶である他、水溶ではないが水にて組織（パルプの場合、繊維組織）が解れるものも含む。また、上記の保水性とは、口部材が、水を吸収するもの（スポンジに代表される。）の他、水分を凝固或いはゲル化させるものも含む。
【００１１】
本願第２の発明は、上記本願第１の発明にあって、次の構成を備えた使い捨て携帯用排尿袋を提供する。
即ち、上記の紐部材４は、袋体１と別体に形成され且つ袋体の開口部の外周側に取り付けられる環状部材である。上記の環状部材の内径は、力が加わらない状態において口部材３の外径と同じか口部材３の外径より小さく、指先で押し広げることにより口部材３の外径より大きくすることが可能な伸縮性を有する。上記口部材３は、袋体１の開口部縁を当該口部材と上記環状部材４とにて挟むことにより、上記環状部材４の伸縮性を利用して、袋体１の上記開口部に内周に取り付けられたものである。
環状部材は、１つの輪として使用する他、２重以上に重ねて使用するものも含む。２重以上に重ねて使用する場合、上記の環状部材の内径というのは、２重以上に重ねた後の内径を指す。
【００１２】
本願第３の発明は、上記本願第１又は第２の発明にあって、次の構成を備えた使い捨て携帯用排尿袋を提供する。
即ち、上記の口部材３は、筒状の主要部と、主要部の内側に設けられた筒状の芯部材とを備える。上記の口部材３の主要部は、水にて分解する或いは保水性を有する素材にて形成されたものである。上記の袋体１は、開口部の外側に折り返された延設部１１を備える。上記の延設部１１は、袋体１を閉鎖する閉鎖部を備える。
【００１３】
本願第４の発明では、上記本願第１乃至第３の何れかの発明にあって、上記の閉鎖部は、紐状体と、当該紐状体を収容する収容部とを備え、口部材３を袋体１内部へ落とした後、折り返されていた上記の延設部１１を上方へ伸ばして、紐状体を引張ることにより、袋体１を巾着状に閉じることが可能な使い捨て携帯用排尿袋を提供する。
【発明の効果】
【００１４】
本願第１〜４の発明は、排尿時に局部と直接当接する筒状の口部材を備えるものであるため、当該口部材によって、排尿時のガイドを確実に行える。
また、この口部材は、尿を収容する袋体に固定されており、袋体に対し口部材の位置は安定し、使い易い。例えば、片手でも、円滑に排尿袋を取り扱うことができる。
上記の袋体する口部材の固定は、紐部材を巻くことによって行われたものであり、使用後、紐部材を外すという簡単な動作によって、口部材を尿を収容した袋体内部に落とすことができ、口部材を尿を収容する袋体内部（底部）へ収納することができる。また、この収納に際して、局部に触れた口部材を直接触る必要がない。従って、使用後、別途にゴミ袋などを用意することなく、尿を収容した袋体と口部材とを一纏めにして取り扱うことができる。
本願発明に係る排尿袋について、男性用として実施する場合も、女性用として実施する場合も、口部材は、局部をガイドするため筒状に形成される（男女の局部の形態の相違によって、夫々に適合するように、口部材が呈する筒状体の寸法や形態は変更して実施すればよい）。男子の場合は、当該筒状の口部材内に局部を挿入して、また、女子の場合は局部周縁に口部材を当てて、排尿を行う。
従って、口部材は、上記の局部のガイドが行える程度の寸法（径・長さ）を有するものとされるが、上記の通り、袋体内に収納され、一纏めにされることによって、局部に触れた部分が外部に曝されないだけでなく、使用後の取り扱いが煩雑にならない。
このように、本願発明によって、使用時の使い易さと使用後の取り扱いの簡便さとを両立させた、従来にない、使い捨ての携帯用排尿袋を提供することが可能となった。
【００１５】
また、上記本願第２の発明によって、上記の紐部材を伸縮性を有する環状部材とすることによって、製造時、その伸縮性を利用して、より確実に、また、簡単に、環状部材を袋体へ装着することができ、簡便且つ確実に、口部材を袋体へ固定することができる。また、使用後口部材を袋体内部へ落し込むに際して、口部材の固定を簡単に解除することができる。
【００１６】
更に、本願第３発明において、口部材は、その主要部が、水にて分解する或いは保水性を有する素材にて形成されたものであり、排尿にて掛かった尿を吸収して、尿の雫が、跳ね返って局部に着いたり、袋体外部へ飛び出したりするという事態を抑制した。この口部材は、芯材を備えることにより、尿に濡れても、直ちに形崩れするという事態を低減せしめた。
また、口部材の主要部を上記の通り形成することにより、使用後袋体内に収納した後も、袋体内の尿にて分解或いは当該尿を吸収し（吸水部材と同様の作用を奏し）、使用後の排尿袋の取り扱いを行い易いものとした。
更に、閉鎖部を設けることにより、袋体を確実に封じるものであり、吸水部材や上記の口部材の主要部の尿処理の効果と相まって使用後袋体に収容された尿が外部へ漏れることを抑制した。
【００１７】
本願第４の発明では、上記閉鎖部を構成する具体的手段を提供した。即ち、使用後に折り返されていた延設部を上方に伸ばし、紐状体にて袋体を巾着状に閉じることを可能とした。
【発明を実施するための最良の形態】
【００１８】
以下、図面を参照しつつ、本願発明の好ましい実施の形態について、説明する。図１〜図５へ本願発明の一実施の形態に係る使い捨て排尿袋を示す。
図１は本願発明に係る使い捨て携帯用排尿袋の斜視図である。図２はこの使い捨て携帯用排尿袋の一部切欠要部縦断面図である。図３〜５は、上記の使い捨て携帯用排尿袋の使用後の取り扱いを示す斜視図である。
尚、図２において、図面の煩雑を避けるため、付すべきハッチングの一部を省略している。
説明の便宜上、各図中、Ｕは上方を、Ｓは下方を示している。
図１及び図２へ示す通り、この使い捨て携帯用排尿袋は、袋体１と、吸収部材２と、袋体１と別体に形成された口部材３と、紐部材４とを備える。
以下、各部の構成について、詳述する。
【００１９】
上記袋体１は、液密性を備えたものであり、上方に開口部１０を備える。また、この袋体１は、上記の吸水部材２共に少なくとも成人１回分の排尿を収容することが可能な収容積を有する。この袋体２は、使い捨てが容易な、軟質プラスチックにて形成さたものを採用するのが好ましい。例えば、この袋体１に、ビニール袋や、ポリエチレン袋といった、合成樹脂フィルムにて形成されたものを採用するのが好ましい。
この実施の形態では、上記の袋体１について、ビニールを二層にしたものを採用する。
また、袋体１には、未使用時、簡単に折り畳んでおけ、穴があきにくい程度の厚みを備えたものを採用する。
当該袋体１において、上記の開口部１０の内側に上記口部材３が配され、上記の開口部１０の外側（袋体１の外周）に上記紐部材４が巻かれる。袋体１は、開口部１０の縁より、上記の紐部材４の外側に折り返された延設部１１を備える。延設部１１は、袋体１を封じる閉鎖部を備える。閉鎖部は、延設部１１に配され、袋体１と別体に形成された紐状体５と、延設部１１の縁に沿って設けられ且つ上記紐状体５を収容する収容部１２とを備える。上記の紐状体５は、前記紐部材４とは別個のものである。図２へ示す通り、延設部１１には、その縁に沿って、上記紐状体５を収容する収容部１２が形成されている。紐状体５は、収容部１２に収容されることにより、延設部１１の縁に沿って配され、図１へ示す通り、その一部が収容部１２より外部へ露出する。この紐状体５の外部へ露出する部分には、紐を締めるための、絞り筒６が設けられている（図３）。
【００２０】
上記の吸水部材２は、袋体１内に収容されたものであり、吸水性を備える。
吸水部材２としては、トイレットペーパに代表される水溶紙、ティシュペーパーといったその他のパルプ紙、薄葉紙、不織布、綿、綿状パルプ、スポンジ（ウレタンフォーム）、高吸水性ポリマー、凝固剤、ゲル化剤、或いはこれらの複合物を採用することができる。尚、水溶紙については、水溶性という意味ではなく、パルプ繊維が水でほぐれるという意味である。紙素材については、古紙又はバージンパルプを使用することができる。
高吸水性ポリマーとしては、スターチ、アクリル径、ＰＶＡといった高分子からなるものを採用することができる。
また、袋体１には、上記の吸収部材２の他、周知の芳香剤又は防臭剤を収納するのが好ましい。
【００２１】
上記の口部材３は、筒状体である。図２に示す通り、筒状の当該口部材３は、袋体１の開口部１０の内側に収容されて、袋体１の開口部１０上方に一端を露出させ、他の一端を袋体１の内部即ち開口部１０の下方に向ける。
この口部材３は、主要部となる筒状の吸水部３０と、その内側に設けられた筒状の芯部材３１とを備える。即ち、口部材３は、吸水部３０と芯部材３１の二層にて構成された筒状体である。
上記の吸水部３０の素材は、上述の吸水部材２と同様のものを採用して実施することができる。また、上記の芯部材３１の素材については、吸水部３０よりも固く、水分に触れても直ちに形崩れしないものを採用するのが好ましい。例えば、芯部材３１の素材として、印刷紙やプリント紙、コピー紙といった情報紙、或いは、便箋紙といった紙材を採用することができる。
吸水部３０の内側に芯部材３１を糊付けにより固定している。携帯用排尿袋を男性用とする場合、吸水部３０の長さは、５〜１０ｃｍとするのが好ましく、特に８ｃｍ程度とするのが好ましい。また、男性用とする場合、芯部材３１の内径を３〜５ｃｍとするのが好ましい。
携帯用排尿袋を、女性用とする場合、吸水部材３０の長さは、男性用の場合に比して、１〜２ｃｍ短いものとして実施することができる。また、女性用とする場合、芯部材３１の内径については、男性用の場合に比して３〜４ｃｍ大きく形成して実施することができる。但し、男女何れの場合も、上記の寸法に限定するものではなく、種々変更可能である。
また、男女何れの場合も、芯部材３１の上端は、外側の吸水部３０より３〜５ｍｍ上方に突出させるのが好ましい。
【００２２】
上記の紐部材４は、環状に形成され、即ち環状部材として形成されたものを採用する。
特に、上記の環状部材（紐部材４）は、その内径を拡大・縮小することが可能な伸縮性を備えたものを採用する（以下このような紐部材４を弾性環状部材４と呼ぶ）。弾性環状部材４は、上記の弾性環状部材４の内径は、力が加わらない状態において口部材３の外径と同じか口部材の外径より小さく、指先で押し広げることにより口部材の外径より大きくすることが可能な伸縮性を有するものである。この弾性環状部材４には、ゴム紐を環状にしたもの、とりわけ、輪ゴムを採用するのが好ましい。また、弾性環状部材４に、輪ゴムを採用する場合、１つの輪ゴムを２重以上に重ねて使用することも可能であり、その場合、上記の内径というのは、このように重ねられた後の輪ゴムの内径である。
袋体１の開口部１０の内周側に配された筒状の上記口部材３と、袋体１の開口部１０の外周側に取り付けられる弾性環状部材４即ち上記輪ゴムとにて、袋体１の開口部１０の縁を挟むことにより、口部材３を、輪ゴムの伸縮性を利用して袋体１の開口部１０の内周に固定することができる。
図１及び図２へ示す通り、当該弾性環状部材４は、袋体１の下方に折り返された前記延設部１１の内側に位置する。
【００２３】
使用に際しては、男性の場合、図１及び図２へ示す排尿袋の上記口部材３内に局部を挿入し、また、女性の場合、当該口部材３を局部周縁にあてがい、排尿する。この状態において、紐部材４を外すこと、即ち、紐部材４を、取り外す、緩める、切る、或いは、口部材３より上方へずらすことにより、袋体１内において、口部材３を下方へ落下させることができる。この実施の形態において、図４へ示す通り、輪ゴム（弾性環状部材４）を指先で口部材３に対し相対的に上方へずらすことにより、袋体１の奥へ落とすことができる。この後、図５へ示す通り、上記の絞り筒６を操作して紐状体５を締め、上方へ伸ばした延設部１１の縁を窄めて、袋体１を巾着状に閉じることができる。また、上記の紐状体５にて、袋体１を手に提げることが可能である。
上記の通り、袋体１を封じた後、図５へ示すように、輪ゴム（弾性環状部材４）をそのまま袋体１の首に掛けていてもよいが、２重以上に袋体１に巻きつけて、袋体１の封鎖を補助するものとしても、尿漏れ防止に効果的である。
【００２４】
上記において、袋体１は、ビニールを２層に重ねたものとしたが、このようなものに限定するものではなく、１層であっても、３層以上であっても実施可能である。
上記の紐部材４について、環状に形成されたものに限定するものではなく、１本の紐として形成されたものを用いて実施することも可能である。また、その場合も、紐部材４は、伸縮性を有する素材にて形成するのが好ましい。但し、紐部材４は、上記の伸縮性を備えないものであっても実施可能である。
また、上記において、紐部材４は、袋体１の開口部１０の外周に配されるものとしたが、例えば、上記の開口部１０において袋体４の内外に縫いこまれたものであっても実施可能である。
袋体１を封じる手段（閉鎖部）についても、上記の紐状体５によって、巾着状に締めるものに限定するものではなく、ファスナや粘着テープ、接着剤などの周知の他の手段を用いて実施することも可能である。
【図面の簡単な説明】
【００２５】
【図１】本願発明に係る使い捨て携帯用排尿袋の一実施の形態を示す斜視図である。
【図２】上記使い捨て携帯用排尿袋の一部切欠要部縦断面図である。
【図３】上記使い捨て携帯用排尿袋の、延設部を伸ばした状態を示す斜視図である。
【図４】図３に示す使い捨て携帯用排尿袋の、口部材を袋体の内部へ落とす状態を示す斜視図である。
【図５】図４に示す使い捨て携帯用排尿袋の、延設部を窄めた状態を示す斜視図である。
【符号の説明】
【００２６】
１  袋体
２  吸水部材
３  口部材
４  紐部材
【図１】
2006296780.tif 000003
【図２】
2006296780.tif 000004
【図３】
2006296780.tif 000005
【図４】
2006296780.tif 000006
【図５】
2006296780.tif 000007